(57)【要約】      （修正有）【課題】玉の洗浄を、簡単な工程および安価な装置で可能なパチンコ玉洗浄装置を提供する。【解決手段】パチンコ玉洗浄手段とパチンコ玉搬送手段とパチンコ玉乾燥手段とを備え、パチンコ玉洗浄手段によってパチンコ玉を搬送しながら洗浄し、この洗浄したパチンコ玉をパチンコ玉搬送手段によってパチンコ玉乾燥手段に搬送し、このパチンコ玉乾燥手段によって乾燥させるパチンコ玉洗浄装置において、パチンコ玉洗浄手段は洗浄水としてアルカリイオン水を使用したものである。この場合、アルカリイオン水に除菌・抗菌剤を混合させれば、パチンコ玉を洗浄しながら抗菌効果を付与することができる。【選択図】図１
2015002801.tif 000002
【特許請求の範囲】
【請求項１】
パチンコ玉洗浄手段とパチンコ玉搬送手段とパチンコ玉乾燥手段とを備え、前記パチンコ玉洗浄手段によってパチンコ玉を搬送しながら洗浄し、この洗浄したパチンコ玉を前記パチンコ玉搬送手段によって前記パチンコ玉乾燥手段に搬送し、このパチンコ玉乾燥手段によって乾燥させるパチンコ玉洗浄装置において、前記パチンコ玉洗浄手段は洗浄水としてアルカリイオン水を使用したことを特徴とするパチンコ玉洗浄装置。
【請求項２】
前記パチンコ玉洗浄手段は洗浄槽をスクリュウコンベアによって構成したことを特徴とする請求項１のパチンコ玉洗浄装置。
【請求項３】
前記パチンコ玉搬送手段として搬送路を斜面とし、この斜面をして前記パチンコ玉を転動せしめることを特徴とする請求項１又は請求項２のパチンコ玉洗浄装置。
【請求項４】
前記搬送路を通過中に前記パチンコ玉に抗菌剤を噴霧することを特徴とする請求項３のパチンコ玉洗浄装置。
【請求項５】
前記アルカリイオン水に除菌・抗菌剤を混合させることを特徴とする請求項１のパチンコ玉洗浄装置。
【発明の詳細な説明】
【技術分野】
【０００１】
この発明はパチンコ玉洗浄装置に関し、汚れたパチンコ玉を洗浄し再使用する場合に使用されるものである。
【背景技術】
【０００２】
従来におけるこの種の洗浄装置は洗浄槽内の洗浄液を超音波によって振動させ、この振動した洗浄液にパチンコ玉を浸して、その付着した汚れを落としていた。  
【０００３】
【特許文献１】特公昭５７−３０５５１号公報
【特許文献２】特開平９−２８５６３５号公報
【発明の開示】
【発明が解決しようとする課題】
【０００４】
しかしながら、かかる従来のパチンコ玉洗浄装置にあっては、洗浄液として界面活性剤や有機溶媒を使用して汚れを落としていたため、洗浄後においてこの洗浄液を洗い流す工程が必要となり、この結果、装置自体が大掛かりとなるとともに維持管理に手間がかかるという不都合を有した。  
【０００５】
この不都合を解消することが、この発明の課題である。  
【０００６】
前記不都合を解消するために、この発明に係るパチンコ玉の洗浄装置においては、パチンコ玉洗浄手段とパチンコ玉搬送手段とパチンコ玉乾燥手段とを備え、前記パチンコ玉洗浄手段によってパチンコ玉を搬送しながら洗浄し、この洗浄したパチンコ玉を前記パチンコ玉搬送手段によって前記パチンコ玉乾燥手段に搬送し、このパチンコ玉乾燥手段によって乾燥させるパチンコ玉洗浄装置において、前記パチンコ玉洗浄手段は洗浄水としてアルカリイオン水を使用したものである。
【０００７】
この場合、前記パチンコ玉洗浄手段の洗浄槽をスクリュウコンベアによって構成することもできる。
【０００８】
また、前記パチンコ玉搬送手段として搬送路を斜面とし、この斜面をして前記パチンコ玉を転動せしめるようにすることもできる。
【０００９】
更に、前記搬送路を通過中に前記パチンコ玉に抗菌剤を噴霧することもできる。
【００１０】
更に、前記アルカリイオン水に除菌・抗菌剤を混合させることもできる。
【発明の効果】
【００１１】
この発明に係るパチンコ玉の洗浄装置は上記のように構成されているため、即ち、パチンコ玉洗浄手段とパチンコ玉搬送手段とパチンコ玉乾燥手段とを備え、前記パチンコ玉洗浄手段によってパチンコ玉を搬送しながら洗浄し、この洗浄したパチンコ玉を前記パチンコ玉搬送手段によって前記パチンコ玉乾燥手段に搬送し、このパチンコ玉乾燥手段によって乾燥させるパチンコ玉洗浄装置において、前記パチンコ玉洗浄手段は洗浄水としてアルカリイオン水を使用したため、洗浄液として界面活性剤や有機溶媒を使用していた従来と異なり、洗浄後に洗浄液を洗い流す必要はないものである。  
【００１２】
よって、このパチンコ玉の洗浄装置を使用すれば、パチンコ玉の洗浄後においてこの洗浄液を洗い流す工程が不要となり、この結果、装置自体をコンパクトにできるとともに維持管理がしやすく、この洗浄作業の作業能率を向上させることができる。  
【００１３】
この場合、前記パチンコ玉洗浄手段の洗浄槽をスクリュウコンベアによって構成すれば、パチンコ玉を搬送しながら洗浄しやすいものである。
【００１４】
また、前記パチンコ玉搬送手段として搬送路を斜面とし、この斜面をして前記パチンコ玉を転動せしめるようにすれば、簡易な方法でパチンコ玉を乾燥させながら搬送することができる。
【００１５】
更に、前記搬送路を通過中に前記パチンコ玉に抗菌剤を噴霧するようにすれば、洗浄作業をしながらパチンコ玉に抗菌効果を付与することができる。
【００１６】
更に、前記アルカリイオン水に除菌・抗菌剤を混合させれば、前記パチンコ玉を洗浄しながら抗菌効果を付与することができる。
【発明を実施するための最良の形態】
【００１７】
この発明に係る「パチンコ玉洗浄手段」とは、洗浄槽内でパチンコ玉を搬送しながら洗浄液によって洗浄するものである。  
【００１８】
「アルカリイオン水」とは、アルカリ性電解水の通称であり、アルカリイオン水整水器等の陰極側で生成されるpH略12.5の電解水である。製造時に添加される電解質によって異なるが、基本的には低濃度の水酸化カリューム水溶液（石灰水、アルカリ性）である。
【００１９】
「パチンコ玉搬送手段」には斜面の搬送路以外に通常の搬送手段、例えば、ベルトコンベア等が該当する。  
【００２０】
「パチンコ玉乾燥手段」には、温風乾燥手段以外に通常の乾燥手段、例えば、冷風乾燥、自然乾燥等が該当する。
【００２１】
「パチンコ玉洗浄手段の洗浄槽」をスクリュウコンベアによって構成することもできる。
【００２２】
「抗菌剤」又は「除菌・抗菌剤」としては銀イオン、ナノプラチナコロイドを使用することが望ましいが、他の如何なる抗菌剤を使用することも可能である。
【実施例１】
【００２３】
以下、図面に基づいてこの発明の実施例を説明する。  
【００２４】
図１はこの発明に係るパチンコ玉の洗浄装置の説明図である。  
【００２５】
図１において、Aはパチンコ玉の洗浄装置であり、１０は洗浄槽（この発明の「パチンコ玉洗浄手段」に相当する）である。この洗浄槽１０は円筒体を略水平（前下がりに傾斜状態可能）に配置したものであり、軸心を中心として回転することができる。１１は供給口であり、前記洗浄層１０の右側に設置され、又、１２は排出口であり、同左側に設置されている。１３は螺旋羽根であり、前記洗浄槽１０の内壁面に螺旋状に立設されている。前記洗浄槽１０が軸心を中心として回転した際にこの螺旋羽根１１の作用によって洗浄層１０内のパチンコ玉Ｐ及び洗浄水Ｗは排出口１１側へ搬送される。この洗浄層１０はスクリュウコンベアから構成されている。１４，１４，はリブであり、前記洗浄槽１０の内壁面に設置されている。このリブ１４は前記洗浄槽１０の軸方向に延び、洗浄槽１０の回転に従って、その底面にあるパチンコ玉Ｐや洗浄水Ｗを撹拌する。
【００２６】
２０はパチンコ玉供給箱であり、洗浄用のパチンコ玉Ｐが収容されている。２１は供給用スクリュウコンベアであり、パチンコ玉供給箱２０のパチンコ玉Ｐを前記洗浄層１０に搬送する。この供給用スクリュウコンベア２１の螺旋羽根２２は前記洗浄槽１０と一体的に回転して、パチンコ玉Ｐを前記洗浄槽１０に供給する。
【００２７】
３０は洗浄水槽、Ｗはその中に収容された洗浄水である。この洗浄水Ｗは前記洗浄水槽３０の下流側から、ポンプ３１の作動により配管３２を介して前記洗浄槽１０の上流側に供給される。  
【００２８】
４０は搬送路（この発明の「パチンコ玉搬送手段」に相当する）である。であり、断面Ｕ字状をしている。この搬送路４０は先端に向かうに従って下がり傾斜状に設置され、前記洗浄槽１０から排出されたパチンコ玉Ｐを後記乾燥装置５０に搬送する。４１はパチンコ玉受部であり、前記搬送路４０の始点に形成されている。このパチンコ玉受部４１は金網状をしている。前記洗浄槽１０から排出されるパチンコ玉Ｐは洗浄水Ｗとともにこのパチンコ玉受部４１に排出され、洗浄水Ｗのみこの金網状の部分を通過して下方の水受樋４２に落下する。
【００２９】
また、４３はパチンコ玉落下部であり、前記搬送路４０の途中に形成されている。このパチンコ玉落下部４２も金網状をしている。前記搬送路４０を転がって来たパチンコ玉Ｐはこのパチンコ玉落下部４３に落下して、付着していた洗浄水Ｗのみこの金網状の部分を通過して下方の水受樋４４に落下する。
【００３０】
前記水受樋４２，４４に集められた洗浄水Ｗはポンプ３３の作動によって配管３４を介して前記洗浄水槽３０の上流側に戻される。この配管３４の途中には銀セラミックボールフィルター３５が設置され、通過する洗浄水Ｗの  除菌・抗菌をするためである。また、洗浄水Ｗに直接除菌・抗菌剤を混合させることによって前記パチンコ玉を洗浄しながら抗菌効果を付与することもできる。
【００３１】
なお、３６は前記洗浄水槽３０内に設置された内部フィルターであり、洗浄水Ｗ中のゴミ等を除去している。
【００３２】
５０はパチンコ玉乾燥装置（この発明の「パチンコ玉乾燥手段」に相当する）であり、函状に形成されている。５１はその乾燥処理面であり、金網によって先端に向かうにしたがって略下がり傾斜をしている。５２は温風発生機であり、温風を前記乾燥装置５０内に供給する。供給された温風は前記金網を通過して前記乾燥処理面５１に噴出する。  
【００３３】
前記搬送路４０からのパチンコ玉Ｐはこの乾燥処理面５１に供給され、傾斜に沿って転がりながら、下方から吹き上げる温風によって乾燥される。乾燥されたパチンコ玉Ｐは受箱６０に落下し収容される。 
【産業上の利用可能性】
【００３４】
この発明に係るパチンコ玉の洗浄装置を使用すれば、パチンコ玉の洗浄後においてこの洗浄液を洗い流す工程が不要となり、この結果、装置自体をコンパクトにできるとともに維持管理がしやすく、この洗浄作業の作業能率を向上させることができる。その利用可能性は極めて高い。
【図面の簡単な説明】
【００３５】
【図１】図１はパチンコ玉の洗浄装置の説明図である。
【符号の説明】
【００３６】
Ａ  …  パチンコ玉の洗浄装置Ｐ  …  パチンコ玉Ｗ  …  洗浄水１０  …  洗浄槽（パチンコ玉洗浄手段）１１  …  供給口１２  …  排出口１３  …  螺旋羽根１４  …  リブ  ２０  …  パチンコ玉供給箱２１  …  供給用スクリュウコンベア２２  …  螺旋羽根３０  …  洗浄水槽３１  …  ポンプ３２  …  配管４０  …  搬送路（パチンコ玉搬送手段）４１  …  パチンコ玉受部４２  …  水受樋４３  …  パチンコ玉落下部４４  …  水受樋  ３３  …  ポンプ３４  …  配管３５  …  銀セラミックボールフィルター３５０  …  パチンコ玉乾燥装置（パチンコ玉乾燥手段）５１  …  乾燥処理面５２  …  温風発生機６０  …  受箱  
【図１】
2015002801.tif 000003